(57)【要約】【課題】簡単な構成で、トナーの装置内全体への飛散を抑制する。【解決手段】表面にトナー像を付着させて回転するトナー像担持体５１の表面５１ａに接離可能で当接時にトナー像担持体表面に付着しているトナーを除去するクリーニング手段７３を備え、クリーニング手段とトナー像担持体との当接位置Ｔよりも、トナー像担持体表面の移動方向下流側にトナー受け部７５が設けられており、トナー受け部７５が、トナー像担持体表面の移動方向Ｒと直交する方向に伸びる仕切板７５ａで複数室に仕切られている。【選択図】図２
2005241948.tif 000002
【特許請求の範囲】
【請求項１】
表面にトナー像を付着させて回転するトナー像担持体と、このトナー像担持体の表面に接離可能で当接時に前記トナー像担持体の表面に付着しているトナーを除去するクリーニング手段とを備えた画像形成装置であって、
前記クリーニング手段とトナー像担持体との当接位置よりも、当該当接位置における前記トナー像担持体の表面の移動方向下流側にトナー受け部が設けられており、かつ、このトナー受け部が複数室に仕切られていることを特徴とする画像形成装置。
【請求項２】
前記トナー受け部は、前記トナー像担持体表面の移動方向に関し、当該移動方向と直交する方向に伸びる仕切板で仕切られていることを特徴とする請求項１記載の画像形成装置。
【請求項３】
前記トナー受け部における、前記トナー像担持体表面の移動方向に関する最下流側の起立壁の上端が前記トナー像担持体表面に近接していることを特徴とする請求項１または２記載の画像形成装置。
【請求項４】
前記トナー受け部における、前記トナー像担持体表面の移動方向に関する最下流側の起立壁の上端と前記トナー像担持体表面との間隔に比べて、前記仕切板の上端と前記トナー像担持体表面との間隔の方が大きくなっていることを特徴とする請求項２または３記載の画像形成装置。
【請求項５】
前記仕切板が２以上設けられており、かつそれら仕切板の上端が、前記トナー像担持体表面の移動方向下流側に行くにつれて前記トナー像担持体表面に近接することを特徴とする請求項３または４記載の画像形成装置。
【請求項６】
前記トナー像担持体がベルトで構成されているとともに、前記クリーニング手段とトナー像担持体との当接位置よりも、前記トナー像担持体の表面の移動方向下流側において、前記ベルトの進行方向を変更させる屈曲部が設けられており、この屈曲部の下方まで前記トナー受け部が伸びていることを特徴とする請求項１〜５のうちいずれか１項に記載の画像形成装置。
【請求項７】
前記トナー受け部は、前記クリーニング手段が取り付けられているクリーニングケースと一体に構成されていることを特徴とする請求項１〜６のうちいずれか１項に記載の画像形成装置。
【発明の詳細な説明】
【技術分野】
【０００１】
本発明は、電子写真技術を用いて画像を形成するプリンター、ファクシミリ、複写機等の画像形成装置に関する。より詳しくは、トナー像担持体の表面に接離可能で当接時にトナー像担持体の表面に付着している残留トナーを除去するクリーニング装置の改良に関するものである。
【背景技術】
【０００２】
一般に、電子写真技術を用いた画像形成装置は、外周面に感光層を有する感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段と、この現像手段により現像されたトナー像を転写対象である用紙等の記録材に転写させる転写手段と、転写後に感光体の表面に残留しているトナーを除去するクリーニング手段とを有している。
転写手段としては、感光体上に形成されたトナー像が転写（一次転写）され、このトナー像を担持してさらに転写対象である用紙等の記録材に転写（二次転写）するトナー像担持体（例えば中間転写体）を有するものが知られており、この中間転写体（トナー像担持体）に対してもクリーニング手段が設けられている。
通常、上記感光体のクリーニング手段は、感光体に接離させる構成とする必要はないが、中間転写体（トナー像担持体）は例えば複数色のトナー像が重畳された後にその重畳されたトナー像を転写対象（用紙等の記録材）に一括転写するようになっているので、上記トナー像の重畳動作時にはクリーニング手段を離間させ、上記一括転写後にクリーニング手段を当接させる必要がある。
このような画像形成装置では、クリーニング手段がトナー像担持体から離間した際に、クリーニング手段に付着しているトナーが飛散し、そのトナーが画像形成装置内に浮遊し、中間転写体や感光体に付着して画質を劣化させる、装置内部を汚す、等々種々の問題を引き起こしていた。
そこで、従来、クリーニング手段がトナー像担持体表面から離間した際に、トナー流出口を遮蔽する遮蔽機構を設けた画像形成装置が提案されている（例えば特許文献１参照）。
【特許文献１】特開２００３−２９５７２２号公報
【発明の開示】
【発明が解決しようとする課題】
【０００３】
上記従来技術では、遮蔽機構を速やかに作動させても、依然としてトナーが飛散してしまうという問題があった。また、遮蔽機構を設ける必要があるので構造も複雑になってしまうという問題もあった。
本発明の目的は、簡単な構成で、トナーの装置内全体への飛散を抑制することができる画像形成装置を提供することにある。
【課題を解決するための手段】
【０００４】
上記目的を達成するために本発明の画像形成装置は、表面にトナー像を付着させて回転するトナー像担持体と、このトナー像担持体の表面に接離可能で当接時に前記トナー像担持体の表面に付着しているトナーを除去するクリーニング手段とを備えた画像形成装置であって、
前記クリーニング手段とトナー像担持体との当接位置よりも、当該当接位置における前記トナー像担持体の表面の移動方向下流側にトナー受け部が設けられており、かつ、このトナー受け部が複数室に仕切られていることを特徴とする。
このような構成とすると、クリーニング手段がトナー像担持体から離間した際にクリーニング手段から飛散する殆どのトナーをトナー受け部で捕獲することができ、トナーが装置内全体に飛散するのを抑制することができる。
トナー像担持体は回転しているので、トナー像担持体の表面近くには当該表面の移動方向に沿う風が生じるが、トナー受け部はトナー像担持体の表面の移動方向下流側に設けられているので、上記風に乗ってくるトナーを有効に捕獲することができる。
しかも、トナー受け部は、複数室に仕切られており、これら複数室はそれぞれトナー捕獲室として作用するので、上記風に乗ってくるトナーを効率よく捕獲することができる。
さらに、トナー受け部が複数室に仕切られていることにより、トナーが付着し得るトナー受け部の室内壁面の面積が大きくなるので、より効率よくトナーを捕獲することができる。
さらにまた、画像形成装置が揺すられ、あるいはトナー受け部の交換作業等でトナー受け部が揺すられても、トナー受け部が複数室に仕切られていることにより、トナー受け部内のトナーが移動しにくくなり、こぼれにくくなる。
望ましくは、前記トナー受け部は、前記トナー像担持体表面の移動方向に関し、当該移動方向と直交する方向に伸びる仕切板で仕切られている構成とする。
このように構成すると、上記風に乗ってくるトナーを、像担持体表面の移動方向（したがって風の移動方向）と直交する方向に伸びる仕切板で仕切られている複数室（複数のトナー捕獲室）によって段階的に効率よく捕獲することができる。また、風の方向と直交方向の仕切板にトナーが当たりやすくなるので、より効率的にトナーを捕獲することができる。
望ましくは、前記トナー受け部における、前記トナー像担持体表面の移動方向に関する最下流側の起立壁の上端が前記トナー像担持体表面に近接している構成とする。
このように構成すると、トナー像担持体の表面とトナー受け部との間を通り抜けようとするトナーが、最下流側の起立壁によって阻止されやすくなり、より確実にトナーを捕獲することが可能となる。
望ましくは、前記トナー受け部における、前記トナー像担持体表面の移動方向に関する最下流側の起立壁の上端と前記トナー像担持体表面との間隔に比べて、前記仕切板の上端と前記トナー像担持体表面との間隔の方が大きくなっている構成とする。
このように構成すると、仕切板で仕切られた複数室に略均等にトナーを捕獲することができ、結果としてトナーの捕獲可能量を向上させることができる。すなわち、トナーは上記風に乗って運ばれるため、風の上流側においてより落下しやすいが、トナー像担持体表面の移動方向（したがって風の方向）に関する最下流側の起立壁の上端とトナー像担持体表面との間隔に比べて、仕切板の上端と前記トナー像担持体表面との間隔の方が大きくなっている構成とすると、風で運ばれるトナーは仕切壁の上端とトナー像担持体表面との間を通って下流側の室（トナー捕獲室）に入りやすくなる。したがって、仕切板で仕切られた複数室に略均等にトナーを捕獲することが可能となる。
望ましくは、前記仕切板が２以上設けられており、かつそれら仕切板の上端が、前記トナー像担持体表面の移動方向下流側に行くにつれて前記トナー像担持体表面に近接する構成とする。
このように構成すると、３以上のトナー捕獲室によってトナーを効率的に捕獲することができるとともに、上で述べた理由により、複数室に略均等にトナーを捕獲することが可能となる。
前記トナー像担持体がベルトで構成されており、前記クリーニング手段とトナー像担持体との当接位置よりも、前記トナー像担持体の表面の移動方向下流側において、前記ベルトの進行方向を変更させる屈曲部が設けられている場合には、この屈曲部の下方まで前記トナー受け部が伸びている構成とする。
上記屈曲部が設けられていると、ベルト表面に僅かに残留しているトナー（クリーニング手段が設けられていても、除去されずに残るトナーもある）が上記屈曲部において、当該屈曲部における僅かな振動によって落下するおそれがあるが、前記屈曲部の下方まで前記トナー受け部を伸ばすことによって、そのようなトナーも捕獲することができるようになる。
望ましくは、前記トナー受け部は、前記クリーニング手段が取り付けられているクリーニングケースと一体に構成する。
このように構成すると、クリーニング手段とトナー像担持体との当接位置に対してトナー受け部を位置精度良く設けることが可能になると同時に、クリーニングケースの他に別途トナー受け部を設ける必要もなくなる。
しかも、クリーニングケースとトナー受け部とを別体とすると、両者の隙間からトナーが漏れるおそれが生じるが、トナー受け部をクリーニングケースと一体に構成すると、そのようなおそれもなくなる。
【発明を実施するための最良の形態】
【０００５】
以下、本発明の実施の形態について図面を参照して説明する。
図１は本発明に係る画像形成装置の一実施の形態の内部構造を示す概略側面図である。
この画像形成装置は、Ａ３サイズの用紙（記録材）の両面にフルカラー画像を形成することのできるカラー画像形成装置であり、ケース１０と、このケース１０内に収容された、像担持体ユニット２０と、露光手段としての露光ユニット３０と、現像手段としての現像器（現像装置）４０と、中間転写体ユニット５０と、定着手段としての定着ユニット（定着器）６０とを備えている。
ケース１０には装置本体の図示しないフレームが設けられており、このフレームに各ユニット等が取り付けられている。
【０００６】
像担持体ユニット２０は、外周面に感光層を有する感光体２１と、この感光体２１の外周面を一様に帯電させる帯電手段としてのコロナ帯電器（スコロトロン帯電器）２２とを有しており、このコロナ帯電器２２により一様に帯電させられた感光体２１の外周面を露光ユニット３０からのレーザー光Ｌで選択的に露光して静電潜像を形成し、この静電潜像に現像器４０で現像剤であるトナーを付与して可視像（トナー像）とし、このトナー像を中間転写体ユニット５０の中間転写ベルト５１に一次転写部Ｔ１で一次転写し、さらに、二次転写部Ｔ２で、転写対象である用紙に二次転写させるようになっている。
像担持体ユニット２０には、一次転写後に感光体２１の表面に残留しているトナーを除去するクリーニングブレード２３と、このクリーニングブレード２３で除去された廃トナーを収容する廃トナー貯留部としての廃トナー収容部２４が設けられている。
【０００７】
ケース１０内には、上記二次転写部Ｔ２により片面に画像が形成された用紙をケース１０上面の用紙排出部（排紙トレイ部）１５に向けて搬送する搬送路１６と、この搬送路１６により用紙排出部１５に向けて搬送された用紙をスイッチバックさせて他面にも画像を形成すべく前記二次転写部Ｔ２に向けて返送する返送路１７とが設けられている。
ケース１０の下部には、複数枚の用紙を積層保持する給紙トレイ１８と、その用紙を一枚ずつ上記二次転写部Ｔ２に向けて給送する給紙ローラ１９とが設けられている。
【０００８】
現像器４０はロータリ現像器であり、回転体本体４１に対して、それぞれトナーが収容された複数の現像器カートリッジが着脱可能に装着されている。この実施の形態では、イエロー用の現像器カートリッジ４２Ｙと、マゼンタ用の現像器カートリッジ４２Ｍと、シアン用の現像器カートリッジ４２Ｃと、ブラック用の現像器カートリッジ４２Ｋとが設けられていて（図ではイエロー用の現像器カートリッジ４２Ｙのみを直接描いてある）、回転体本体４１が矢印方向に９０度ピッチで回転することによって、感光体２１に現像ローラ４３を選択的に当接させ、感光体２１の表面を選択的に現像することが可能となっている。
【０００９】
露光ユニット３０は、板ガラス等で構成された露光窓３１から上記レーザー光Ｌを感光体２１に向けて照射するようになっている。
中間転写体ユニット５０は、図示しないユニットフレームと、このフレームで回転可能に支持された駆動ローラ５４，従動ローラ５５，一次転写ローラ５６、一次転写部Ｔ１でのベルト５１の状態を安定させるためのガイドローラ５７，およびテンションローラ５８と、これらローラに掛け回されて張架された前記中間転写ベルト５１とを備えており、ベルト５１が図示矢印方向に循環駆動される。感光体２１と一次転写ローラ５６との間において前記一次転写部Ｔ１が形成されており、駆動ローラ５４と本体側に設けられた二次転写ローラ１０ｂとの圧接部において前記二次転写部Ｔ２が形成される。
二次転写ローラ１０ｂは、前記駆動ローラ５４に対して（したがって中間転写ベルト５１に対して）接離可能であり、接触した際に二次転写部Ｔ２が形成される。
したがって、カラー画像を形成する際には、二次転写ローラ１０ｂが中間転写ベルト５１から離間している状態で中間転写ベルト５１上において複数色のトナー像が重ね合わされてカラー画像が形成され、その後、二次転写ローラ１０ｂが中間転写ベルト５１に当接し、その当接部（二次転写部Ｔ２）に用紙が供給されることによって中間転写ベルト５１上から用紙上にカラー画像（トナー像）が転写（二次転写）されることとなる。
トナー像が転写された用紙は、定着ユニット６０の加熱ローラ対６１を通ることでトナー像が溶融定着され、上記排紙トレイ部１５に向けて排出される。
【００１０】
７０はクリーニング装置であり、上記二次転写後に、トナー像担持体である中間転写ベルト５１の表面に残留しているトナーを除去するための装置である。
このクリーニング装置７０は、図２に示すように、クリーニングケース７１と、シール７２と、クリーニング手段としてのクリーニングブレード７３とを有している。
クリーニング装置７０は、中間転写体である中間転写ベルト５１上でのトナー像の重畳が行われる際には、クリーニングブレード７３を図２に実線で示すように中間転写ベルト５１の表面から離間させ、中間転写ベルト５１上のトナー像が用紙等に二次転写された後、仮想線で示すようにクリーニングブレード７３を中間転写体５１の表面に当接させる、図示しない接離機構を有している。
クリーニングブレード７３は、その角部７３ａを中間転写ベルト５１の表面に対してその移動方向Ｒに対しカウンター方向に当接させて中間転写ベルト５１表面の残留トナーを掻き落とすようにして除去する。
掻き落とされたトナーは、クリーニングブレード７３の上面７３ｂ上に滞留した後、ケース７１内に落下し、ケース７１内に設けられたスクリュー７４で図示しない廃トナーボックスへ向けて搬送される。
【００１１】
以上のような画像形成装置にあっては、中間転写ベルト５１が回転しているので、中間転写ベルト５１の表面５１ａ近くには当該表面５１ａの移動方向Ｒに沿う風Ｗが生じる。
このため、図５（ａ）に示すように、クリーニングブレード７３が中間転写ベルト５１の表面５１ａに当接していた際にクリーニングブレード７３の上面７３ｂ上に滞留したトナーｔ１は、図５（ｂ）に示すように、クリーニングブレード７３が中間転写ベルト５１から離間すると、上記風Ｗによって飛ばされることとなり（飛ばされたトナーを符号ｔ２で示す）、これを放置すると前述したように画像形成装置内に飛散して種々の問題を引き起こすこととなる。
【００１２】
そこで、この実施の形態では、図２に示すように、クリーニングブレード７３と中間転写ベルト５１との当接位置Ｔよりも、当該当接位置Ｔにおける中間転写ベルト５１の表面５１ａの移動方向下流側にトナー受け部７５を設け、かつ、このトナー受け部７５を複数室７５−１、７５−２に仕切った構成としてある。
トナー受け部７５は、クリーニングブレード７３が取り付けられているクリーニングケース７１と一体に構成されている。
すなわち、トナー受け部７５は、ケース７１の底板７１ａと、その左右両側の側板７１ｂ、７１ｂ（図２において奥側の側板のみ図示しいてある）と、中間転写ベルト５１表面の移動方向Ｒに関して最下流側に位置する起立壁７１ｃと、仕切板７５ａで形成されている。なお、これら各部は一体的に皿（トナー受け皿）状に形成されている。
仕切板７５ａは、中間転写ベルト５１表面５１ａの移動方向Ｒと直交する方向（図２の紙面と直交する方向）に伸びている。
前記起立壁７１ｃの上端７１ｃ１は、中間転写ベルト５１表面５１ａに近接しており、この起立壁７１ｃの上端７１ｃ１と中間転写ベルト５１表面５１ａとの間隔Ｌ１に比べて、前記仕切板７５ａの上端７５ａ１と中間転写ベルト５１表面５１ａとの間隔Ｌ２の方が大きくなっている。
【００１３】
以上のような画像形成装置によれば次のような作用効果が得られる。
（ａ）この画像形成装置は、表面５１ａにトナー像を付着させて回転するトナー像担持体５１と、このトナー像担持体５１の表面５１ａに接離可能で当接時にトナー像担持体５１の表面５１ａに付着しているトナーを除去するクリーニング手段７３とを備え、クリーニング手段７３とトナー像担持体５１との当接位置Ｔよりも、当該当接位置Ｔにおけるトナー像担持体５１の表面５１ａの移動方向Ｒ下流側にトナー受け部７５が設けられており、かつ、このトナー受け部７５が複数室７５−１，７５−２に仕切られているので、クリーニング手段７３がトナー像担持体５１から離間した際にクリーニング手段７３（この場合上面７３ｂ）から飛散する殆どのトナーをトナー受け部７５で捕獲することができ、トナーが装置内全体に飛散するのを抑制することができる。
すなわち、トナー像担持体５１は回転しているので、トナー像担持体５１の表面５１ａ近くには当該表面５１ａの移動方向Ｒに沿う風Ｗが生じるが、トナー受け部７５はトナー像担持体５１の表面５１ａの移動方向Ｒ下流側に設けられているので、上記風Ｗに乗ってくるトナーを有効に捕獲することができる。
しかも、トナー受け部７５は、複数室７５−１，７５−２に仕切られており、これら複数室７５−１，７５−２はそれぞれトナー捕獲室として作用するので、上記風Ｗに乗ってくるトナーを効率よく捕獲することができる。
さらに、トナー受け部７５が複数室に仕切られていることにより、トナーが付着し得るトナー受け部７５の室内壁面７５ｂの面積が大きくなるので、より効率よくトナーを捕獲することができる。
さらにまた、画像形成装置が揺すられ、あるいはトナー受け部７５（この場合クリーニング装置７０）の交換作業等でトナー受け部７５が揺すられても、トナー受け部７５が複数室に仕切られていることにより、トナー受け部７５内のトナーが移動しにくくなり、こぼれにくくなる。
【００１４】
（ｂ）トナー受け部７５は、トナー像担持体表面５１ａの移動方向Ｒに関し、当該移動方向Ｒと直交する方向に伸びる仕切板７５ａで仕切られているので、上記風Ｗに乗ってくるトナーを、像担持体表面５１ａの移動方向Ｒ（したがって風の移動方向）と直交する方向に伸びる仕切板７５ａで仕切られている複数室（複数のトナー捕獲室）７５−１，７５−２によって段階的に効率よく捕獲することができる。また、風Ｗの方向と直交方向の仕切板７５ａにトナーが当たりやすくなるので、より効率的にトナーを捕獲することができる。
【００１５】
（ｃ）トナー受け部７５における、トナー像担持体表面５１ａの移動方向Ｒに関する最下流側の起立壁７１ｃの上端７１ｃ１がトナー像担持体表面５１ａに近接しているので、トナー像担持体の表面５１ａとトナー受け部７５との間を通り抜けようとするトナーが、最下流側の起立壁７１ｃによって阻止されやすくなり、より確実にトナーを捕獲することが可能となる。
【００１６】
（ｄ）トナー受け部７５における、トナー像担持体表面５１ａの移動方向に関する最下流側の起立壁７１ｃの上端７１ｃ１とトナー像担持体表面５１ａとの間隔Ｌ１に比べて、仕切板７５ａの上端７５ａ１とトナー像担持体表面５１ａとの間隔Ｌ２の方が大きくなっているので、仕切板７５ａで仕切られた複数室７５−１，７５−２に略均等にトナーを捕獲することができ、結果としてトナーの捕獲可能量を向上させることができる。すなわち、トナーは風Ｗに乗って運ばれるため、風Ｗの上流側（捕獲室７５−１側）においてより落下しやすいが、トナー像担持体表面５１ａの移動方向Ｒ（したがって風の方向）に関する最下流側の起立壁７１ｃの上端７１ｃ１とトナー像担持体表面５１ａとの間隔Ｌ１に比べて、仕切板７５ａの上端７５ａ１とトナー像担持体表面５１ａとの間隔Ｌ２の方が大きくなっている構成とすると、風Ｗで運ばれるトナーは仕切壁７５ａの上端７５ａ１とトナー像担持体表面５１ａとの間（上記大きな間隔Ｌ２）を通って下流側の室（トナー捕獲室）７５−２にも入りやすくなる。したがって、仕切板７５ａで仕切られた複数室７５−１，７５−２に略均等にトナーを捕獲することが可能となる。
【００１７】
（ｅ）トナー受け部７５は、クリーニング手段７３が取り付けられているクリーニングケース７１と一体に構成してあるので、クリーニング手段７３とトナー像担持体５１との当接位置Ｔに対してトナー受け部７５を位置精度良く設けることが可能になると同時に、クリーニングケース７１の他に別途トナー受け部を設ける必要もなくなる。
しかも、クリーニングケース７１とトナー受け部７５とを仮に別体にしたとすると、両者の隙間からトナーが漏れるおそれが生じるが、トナー受け部７５をクリーニングケース７１と一体に構成してあるので、そのようなおそれもなくなる。
【００１８】
＜他の実施の形態＞
図３（ａ）（ｂ）はそれぞれ他の実施の形態を示す模式図である。
図３（ａ）に示すものは、トナー受け部７５を４枚の仕切板７５ａで仕切ってトナー捕獲室を５室（７５−１〜７５−５）にしたものである。
このようにしても、上記（ａ）（ｂ）（ｅ）の作用効果が得られる。なお、トナー受け部７５で捕獲されたトナーを符号ｔ３で示す。
さらに、トナー受け部７５が多数室（５室）に仕切られていることにより、トナーが付着し得るトナー受け部７５の室内壁面７５ｂの面積が一層大きくなるので、より効率よくトナーを捕獲することができる。
図３（ｂ）のものは、トナー受け部７５を２枚の仕切板７５ａで仕切ってトナー捕獲室を３室（７５−１〜７５−３）にしたものである。
このようにしても、上記（ａ）〜（ｅ）の作用効果が得られる。
すなわち、トナー受け部７５を仕切る仕切板７５ａの枚数は適宜設定できる。
【００１９】
図４（ａ）（ｂ）はそれぞれ他の実施の形態を示す模式図である。
図４（ａ）に示すものは、トナー受け部７５を２枚の仕切板７５ａ、７５ａ’で仕切り、かつそれら仕切板７５ａ、７５ａ’の上端が、トナー像担持体表面５１ａの移動方向下流側に行くにつれてトナー像担持体表面５１ａに近接するように構成したものである。
このようにしても、上記（ａ）〜（ｅ）の作用効果が得られる。
さらに、仕切板７５ａ、７５ａ’の上端が、トナー像担持体表面５１ａの移動方向下流側に行くにつれてトナー像担持体表面５１ａに近接するように構成してあることにより、３つのトナー捕獲室（７５−１〜３）によってトナーを段階的に効率的に捕獲することができるとともに、上で述べた理由により、複数室（７５−１〜３）に略均等にトナーを捕獲することが可能となる。
図４（ｂ）に示すものは、クリーニング手段７３とトナー像担持体５１との当接位置Ｔよりも、トナー像担持体の表面５１ａの移動方向下流側において、ベルト５１の進行方向を変更させる屈曲部Ｂが設けられており、この屈曲部Ｂの下方までトナー受け部７５を伸ばしたものである。
上記屈曲部Ｂが設けられていると、ベルト表面５１ａに僅かに残留しているトナー（クリーニング手段７３が設けられていても、除去されずに残るトナーもある）が、上記屈曲部Ｂにおいて、当該屈曲部Ｂにおける僅かな振動によって落下するおそれがあるが（落下するトナーを符号ｔ４で示す）、前記屈曲部Ｂの下方までトナー受け部７５を伸ばすことによって、そのようなトナーｔ４も捕獲することができるようになる。
なお、このような構成によっても、上記（ａ）〜（ｅ）の作用効果が得られる。
【００２０】
以上、本発明の実施の形態について説明したが、本発明は上記の実施の形態に限定されるものではなく、本発明の要旨の範囲内において適宜変形実施可能である。
【図面の簡単な説明】
【００２１】
【図１】本発明に係る画像形成装置の一実施の形態の内部構造を示す概略側面図。
【図２】図１の部分拡大図。
【図３】（ａ）（ｂ）はそれぞれ他の実施の形態を示す模式図。
【図４】（ａ）（ｂ）はそれぞれ他の実施の形態を示す模式図。
【図５】（ａ）（ｂ）は課題の説明図。
【符号の説明】
【００２２】
５１：中間転写ベルト（トナー像担持体）、５１ａ：表面、７１：クリーニングケース、７３：クリーニングブレード（クリーニング手段）、Ｔ：当接位置、７５：トナー受け部、７５ａ：仕切板、７１ｃ：起立壁、Ｂ：屈曲部。
【図１】
2005241948.tif 000003
【図２】
2005241948.tif 000004
【図３】
2005241948.tif 000005
【図４】
2005241948.tif 000006
【図５】
2005241948.tif 000007